(57)【要約】      （修正有）【課題】主光源部の形成領域に補助光源部を配設することにより、照明状態の違和感を軽減することが可能な照明器具を提供する。【解決手段】照明器具は、複数の発光素子を有する主光源部と、外部電源に接続されるとともに主光源部に接続されて、主光源部に給電して主光源部を点灯制御する点灯装置と、前記主光源部の形成領域に配設され、複数の発光素子を備えた補助光源部と、この補助光源部に接続されて、外部電源からの給電が停止された場合に、補助光源部に給電して補助光源部を点灯するバッテリ１２とを備える。【選択図】図５
2013020766.tif 000002
【特許請求の範囲】
【請求項１】
複数の発光素子を有する主光源部と；
外部電源に接続されるとともに主光源部に接続されて、主光源部に給電して主光源部を点灯制御する点灯装置と；
前記主光源部の形成領域に配設され、複数の発光素子を備えた補助光源部と；
この補助光源部に接続されて、外部電源からの給電が停止された場合に、補助光源部に給電して補助光源部を点灯するバッテリと；
を具備することを特徴とする照明器具。
【請求項２】
前記主光源部の発光素子及び補助光源部の発光素子は、同一基板に実装されていることを特徴とする請求項１に記載の照明器具。
【請求項３】
前記補助光源部における複数の発光素子は、主光源部における複数の発光素子の一部が兼用されていることを特徴とする請求項１又は請求項２に記載の照明器具。
【請求項４】
器具取付面に設置された配線器具に対向する開口を略中央部に備えたシャーシと；
前記シャーシの開口に対向して開口を有し、外周部に光入射端面を備えた導光板と；
この導光板の前記光入射端面に前記発光素子の出射光が入射するように配設された主光源部及び補助光源部と；
を具備することを特徴とする請求項１乃至請求項３のいずれか一に記載の照明器具。
【発明の詳細な説明】
【技術分野】
【０００１】
本発明の実施形態は、外部電源からの給電が停止された場合に、バッテリからの給電により補助光源を点灯できる照明器具に関する。
【背景技術】
【０００２】
従来、照明器具において、地震等による停電の発生時に、バッテリから給電して非常用光源を点灯し安全性を確保するようにしたものが知られている。
【０００３】
ところで、近時、ＬＥＤの高出力化、高効率化及び普及化に伴い、光源としてＬＥＤを用いた屋内又は屋外で使用される長寿命化が期待できる照明器具が開発されている。この照明器具は、ＬＥＤを基板に複数実装して所定の明るさを得るようにしたもので、例えば、天井面等に取付けられてベース照明として用いられている。
【０００４】
このようなＬＥＤ等の発光素子を光源とする照明器具において、地震等による停電の発生時に、バッテリから給電して照明を確保できるような機能を付加することが望まれている。
【先行技術文献】
【特許文献】
【０００５】
【特許文献１】特開２００４−１８５８７５号公報
【特許文献２】特開２００９−２７２１３５号公報
【発明の概要】
【発明が解決しようとする課題】
【０００６】
しかしながら、上記従来の照明器具においては、通常時に照明を行う主光源部と、非常時に照明を行う非常用光源（補助光源部）とは、その光源の種類、例えば、主光源部が放電ランプであり、非常用光源がＬＥＤ等であるといったように異なっている。また、これら主光源部と非常用光源とは、明確に区別されて配設されている。
そのため、通常時の主光源部による照明状態と、非常時の補助光源部による照明状態とは顕著に異なった状態になりやすく、違和感を生じるものとなる。
【０００７】
本発明は、上記課題に着目してなされたもので、主光源部の形成領域に補助光源部を配設することにより、照明状態の違和感を軽減することが可能な照明器具を提供することを目的とする。
【課題を解決するための手段】
【０００８】
本発明の実施形態による照明器具は、複数の発光素子を有する主光源部と、外部電源に接続されるとともに主光源部に接続されて、主光源部に給電して主光源部を点灯制御する点灯装置とを備えている。
【０００９】
また、前記主光源部の形成領域に配設され、複数の発光素子を備えた補助光源部と、この補助光源部に接続されて、外部電源からの給電が停止された場合に、補助光源部に給電して補助光源部を点灯するバッテリとを備えている。
【発明の効果】
【００１０】
本発明の実施形態によれば、主光源部の形成領域に補助光源部を配設することにより、照明状態の違和感を軽減することが可能な照明器具を提供することができる。
【図面の簡単な説明】
【００１１】
【図１】本発明の第１の実施形態に係る照明器具を示す斜視図である。
【図２】同照明器具を分解して示す斜視図である。
【図３】同器具本体を背面側から見て示す斜視図である。
【図４】同器具本体を背面側から見て示す平面図である。
【図５】同器具本体を前面側から見て示す平面図である。
【図６】図４中、Ｘ−Ｘ線に沿って示す断面図である。
【図７】図６中、Ａ部を示す拡大図である。
【図８】図６中、Ｂ部を示す拡大図である。
【図９】同器具本体における光源部を示す斜視図である。
【図１０】同器具本体における補助光源点灯ユニットの取付状態を示す斜視図である。
【図１１】同照明器具を示すブロック構成図である。
【図１２】同照明器具の天井面への取付状態を示す断面図である。
【図１３】本発明の第２の実施形態（実施例１）に係る照明器具を示し、器具本体を前面側から見て示す平面図である。
【図１４】本発明の第２の実施形態（実施例２）に係る照明器具を示し、器具本体を前面側から見て示す平面図である。
【図１５】本発明の第３の実施形態（実施例１）に係る照明器具を示し、器具本体を前面側から見て示す平面図である。
【図１６】同（実施例１）に係る図６に相当する断面図である。
【図１７】本発明の第３の実施形態（実施例２）に係る照明器具を示し、器具本体を前面側から見て示す平面図である。
【図１８】同（実施例２）に係る図６に相当する断面図である。
【図１９】本発明の第４の実施形態に係る照明器具を示し、図６に相当する断面図である。
【図２０】同器具本体を前面側から見て示す平面図である。
【発明を実施するための形態】
【００１２】
以下、本発明の第１の実施形態について図１乃至図１２を参照して説明する。各図においてリード線等による配線接続関係は省略して示している場合がある。また、同一部分には同一符号を付し、重複した説明は省略する。
【００１３】
本実施形態の照明器具は、器具取付面に設置された配線器具としての引掛けシーリングボディに取付けられて使用される形式であり、導光板を用いて例えば、室内の照明を行うものである。
【００１４】
図１乃至図６において、照明器具は、器具本体１と、器具取付面としての天井面Ｃに設置された引掛けシーリングボディＣｂに電気的かつ機械的に接続されるアダプタＡ（図２及び併せて図１２参照）と、赤外線リモコン送信器Ｒとを備えている。器具本体１は、図１に示すように略正方形状の外観に形成され、前面側を光の照射面とし、背面側を天井面Ｃへの取付面としている。
【００１５】
図２に代表して示すように、器具本体１は、点灯装置２と、サポートシャーシ３と、センターシャーシ４と、アダプタガイド５と、光源部６と、導光板７と、補助部品ユニット８と、本体枠９とを備えている。また、停電等の非常時に、バッテリから給電して照明を確保できる機能を付加するため、補助光源点灯ユニット１０が設けられている。これら各構成要素について順次説明する。
【００１６】
点灯装置２は、図７の参照を加えて説明するように、熱伝導性を有するアルミニウム等の金属製のケース部材２１に覆われるようになっており、このケース部材２１に取付けられて収容された回路基板２２と、この回路基板２２に実装された回路部品２３とを備えている。ケース部材２１は、略直方体形状の薄型の箱状に形成されていて、一長辺側と一短辺側には、当該辺に沿って外方に延出する鍔状の接続部２１ａが形成されている。また、一長辺側と対向する長辺側には、取付舌片２１ｂが延出して形成されている。
【００１７】
回路基板２２は、ガラスエポキシ樹脂等の絶縁材料からなり、略長方形の板状に形成されて、表面側には、制御用ＩＣ、コンデンサ、巻線部品、抵抗素子等の回路部品２３が実装されている。また、電源側に接続される電源コネクタ、主光源部６を接続するための負荷接続用コネクタや補助部品ユニット８を接続するためのハーネス等の配線接続部材が設けられている。さらに、回路基板２２の裏面側には、スイッチング素子や表面実装部品等の比較的高さ寸法の小さい部品が実装されている。
【００１８】
このような回路基板２２は、図７に代表して示すように、図示上、表面側を下側にして樹脂製固定具２２ａによってケース部材２１に取付けられている。樹脂製固定具２２ａは、先端がケース部材２１の背面側から前面側へ突出するように配置されていて、これが回路基板２２に形成された取付穴に圧入されるようになっている。図３、図４、図６及び図７に示すように、ケース部材２１は、回路基板２２より大きく形成されていて、回路基板２２が取付けられた状態では、回路基板２２は、鍔状の接続部２１ａ側と離反して配置されるようになっている。
【００１９】
以上のような点灯装置２は、電源コネクタにアダプタＡ側が電気的に接続されて、アダプタＡを介して外部電源である商用交流電源に接続される。したがって、点灯装置２は、この交流電源を受けて直流出力を生成し、負荷接続用コネクタからリード線を介してその直流出力を光源部６に供給し、光源部６を点灯制御するようになっている。この点灯装置２は、サポートシャーシ３の背面側に位置して取付けられている。
【００２０】
サポートシャーシ３は、放熱部材を兼用しているもので、放熱部材として機能する。サポートシャーシ３は、熱伝導性を有するアルミニウム等の金属材料から比較的広い面積を有して略正方形状に形成されており、背面側に正方形状の浅皿状の凹部３１を有し、この凹部３１の各辺には外側に段状に屈曲して延出する取付片３２が形成されている。また、凹部３１の前面側は、導光板７を支持する支持面として構成されており、さらに、略中央部には、四角形状の開口３３が形成されている。
【００２１】
センターシャーシ４は、前記サポートシャーシ３と一体的に連結されてシャーシ本体を構成するものである。センターシャーシ４は、冷間圧延鋼板等の金属材料から略直方体の箱状に形成されており、一端側（図示上、下側）を開放し、この開放した各辺には外側に向かって水平方向に延出する鍔状の当接部４１が形成されている。また、他端側（図示上、上側）には、円形状の開口４２が形成されている。したがって、センターシャーシ４は、全体としては高さの低い略筒状をなしている。
【００２２】
当接部４１は、導光板７の背面側にサポートシャーシ３を介して当接される部分であり、開口４２は、アダプタＡが挿通される部分である。そして、図７に示すように、センターシャーシ４の当接部４１は、サポートシャーシ３における開口３３の周辺部に上から重合されるように配置され、こられが固定手段によって固着されている。このため、センターシャーシ４の当接部４１は、導光板７を補強する機能を有している。
このようにシャーシ本体は、センターシャーシ４の開口４２から背面側に凹部３１を形成して外周方向に延出し一体化されている。
【００２３】
アダプタガイド５は、図７の参照を加えて示すように、センターシャーシ４と同様に、全体としては高さの低い直方体形状に形成されていて、中央部にアダプタＡが挿通し、係合する係合口５１が設けられており、下端側に外方へ向かう鍔部５２が形成されている。このアダプタガイド５は、その外周面がセンターシャーシ４の内周面に接するように配設され取付けられている。また、アダプタガイド５は、カバー部材Ｃｖが着脱可能に取付けられる着脱機構を備えている。
【００２４】
光源部６は、主光源部６Ａ及び補助光源部６Ｂを備えていて、図２、図６乃至図９に示すように、基板６２と、この基板６２に実装された光源としての発光素子６１とから構成されている。そして、光源部６は、取付部材としての取付板６３に取付けられるようになっている。
【００２５】
主光源部６Ａは、外部電源に接続されて、通常時に点灯して照明を行う機能を有し、補助光源部６Ｂは、バッテリに接続されて、非常時にバッテリから給電されて保安灯として点灯して照明を行う機能を有している。
【００２６】
主光源部６Ａが形成される領域、つまり、本実施形態においては、具体的には、一枚の基板６２における表面側の領域には、補助光源部６Ｂが形成され配設されている。
【００２７】
主として図９に示すように、基板６２は、横長の長方形状で絶縁材であるガラスエポキシ樹脂の平板からなり、表面側には銅箔で形成された配線パターンが施されている。また、配線パターンの上には、適宜レジスト層が積層されるようになっている。なお、基板６２の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００２８】
発光素子６１は、ＬＥＤであり、表面実装型のＬＥＤパッケージである。このＬＥＤパッケージが基板６２の長手方向に沿って多数直線状に並べられて実装され配設されている。ＬＥＤパッケージは、概略的にはセラミックスや合成樹脂で形成されたキャビティに配設されたＬＥＤチップと、このＬＥＤチップを封止するエポキシ系樹脂やシリコーン樹脂等のモールド用の透光性樹脂とから構成されている。
【００２９】
ＬＥＤチップは、青色光を発光するＬＥＤチップである。透光性樹脂には、蛍光体が混入されており、白色光を出射できるようにするために、青色の光とは補色の関係にある黄色系の光を放射する黄色蛍光体が使用されている。
【００３０】
ここで、基板６２に多数直線状に並べられて実装された発光素子６１は、主光源部６Ａを構成するが、そのうちの一部の発光素子６１Ｂは、補助光源部６Ｂを構成するようになっている。
【００３１】
詳しくは、主光源部６Ａ及び補助光源部６Ｂは、同一基板６２に形成され、主光源部６Ａの発光素子６１Ａは、直線状に多数実装され、一方、基板６２における長手方向の両端部に位置する発光素子６１Ｂ及び略中央部に位置する発光素子６１Ｂが補助光源として用いられ、補助光源部６Ｂを構成するようになっている。
【００３２】
したがって、補助光源部６Ｂを構成する発光素子６１Ｂは、３個用いられていて、これらが主光源部６Ａに分散して配置されている。また、主光源部６Ａを構成する発光素子６１Ａと補助光源部６Ｂを構成する発光素子６１Ｂとは、同一仕様のＬＥＤパッケージが用いられている。これにより、部材の共通化を図ることができ、実装工数の効率化が可能となる。
なお、基板６２の両端部及び略中央部に位置する発光素子６１Ｂの数は、各１個に限ることなく、例えば、各２個や３個の複数個としてもよい。
【００３３】
また、補助光源部６Ｂを主光源部６Ａにおける基板６２とは、別の基板によって構成するようにしてもよい。この場合は、補助光源部６Ｂを主光源部６Ａに隣接させるように配置することが望ましい。このような構成によって補助光源部６Ｂが実質的に主光源部６Ａの形成領域に配設されるようになる。
【００３４】
さらにまた、横長の基板６２は、複数に分割されて形成されていてもよい。複数の基板を長手方向に並べて配設することにより、１枚の基板の長さ寸法を短くすることができ、取扱い上、有利になる効果が期待できる。
【００３５】
以上のように本実施形態においては、主光源部６Ａ及び補助光源部６Ｂが同一基板６２に形成され、換言すれば、補助光源部６Ｂは、主光源部６Ａの形成領域に配設された形態となっている。
【００３６】
また、基板６２の長手方向の両端部には、発光素子６１に電力を供給するための接続コネクタ６４が配設されている。接続コネクタ６４には、図示しないリード線が接続されて接続コネクタ６４を経由して発光素子６１に電力が供給されるようになっている。
【００３７】
さらに、発光素子６１と対になるように、発光素子６１の上側にコンデンサ６５が実装さている。このコンデンサ６５は、チップコンデンサであり、電源に重畳されたノイズ等が発光素子６１に影響を与えるのを抑制する機能を有している。
【００３８】
なお、ＬＥＤパッケージには、発光色が例えば、昼白色のものと電球色のものとを用い、これらを交互に直線状に並べて配置するようにしてもよい。この昼白色と電球色のＬＥＤパッケージに流れる電流等を調整することにより調色を可能とすることができる。
【００３９】
さらに、ＬＥＤは、ＬＥＤチップを直接基板６２に実装するようにしてもよく、また、砲弾型のＬＥＤを実装するようにしてもよく、実装方式や形式は、格別限定されるものではない。
【００４０】
取付板６３は、アルミニウムや亜鉛めっき鋼板等の熱伝導が良好な材料から作られており、横長で側面が略Ｃ型形状に形成されている。この取付板６３の内側壁には、基板６２が、ねじ止め等によって、その裏面側が密着するように取付けられている。したがって、光源部６は、取付板６３に基板６２が取付けられてユニット化されている。
【００４１】
本実施形態では、主として図２に示すように、このユニット化された光源部６が２個用いられており、導光板７の対向する二つの辺に対応して配設されるようになっている。したがって、他の導光板７の対向する二つの辺には、光源部６が取付けられていない取付板６３のみが対応して配設されている。
なお、このユニット化された光源部６は、導光板７の各辺に対応するように配設してもよく、適宜設計に応じて選択することができる。
【００４２】
導光板７は、アクリル樹脂等の透過率の高い材料を用いて四角形状の平板状に形成され、背面側の全面には光を拡散する多数の白色の反射ドットからなるドットパターンが印刷によって形成されているとともに反射シートが設けられている。また、前面側の全面には、拡散シートが設けられている。さらに、導光板７の略中央部には、アダプタガイド５の外形と対応し、また、アダプタＡと対応するように四角形状の開口７１が形成されている。そして、この導光板７の外周部である四角形状の各辺、すなわち、側端面は、発光素子６１から出射される光が入射して導光板７内を進行する光入射端面７２として機能するようになっている。
【００４３】
補助部品ユニット８は、横長箱状のケース内にユニット基板及びこの基板に実装された複数の電気的補助部品を備えて構成されている。図１に示すように、本実施形態における電気的補助部品は、第１の赤外線リモコン信号受信部８１及び第２の赤外線リモコン信号受信部８２、常夜灯８４、スイッチ８５である。
【００４４】
第１の赤外線リモコン信号受信部８１は、商用交流電源により給電されてリモコン送信器Ｒから送出される信号を受信するようになっている。また、第２の赤外線リモコン信号受信部８２は、後述するバッテリ１２により給電されてリモコン送信器Ｒから送出される信号を受信するようになっている。
【００４５】
これら第１の赤外線リモコン信号受信部８１及び第２の赤外線リモコン信号受信部８２は、赤外線受光ＩＣであり、光電変換素子であるフォトダイオードや増幅器等から構成されており、リモコン送信器Ｒから送信される赤外線制御信号を受信して発光素子６１Ａ、６１Ｂの発光状態等を制御するように動作する。
【００４６】
常夜灯８４は、商用交流電源により給電されて点灯するようになっていて、その光源として前面側にレンズが設けられたＬＥＤのパッケージが１個実装されている。
【００４７】
スイッチ８５は、リモコン送信器Ｒから送信される信号が送信可能な範囲内に複数の照明器具が設置されている場合に、照明器具を識別可能に赤外線リモコン信号受信部８１、８２のチャンネルを切換えるチャンネル設定スイッチである。したがって、このスイッチ８５の設定とリモコン送信器Ｒに設けられているチャンネル設定スイッチとの設定が一致している場合にのみ、リモコン送信器Ｒの操作により特定の照明器具を制御でき、複数の照明器具が同時に操作されることが防止される。
モニターランプ８６は、例えば、緑色発光のＬＥＤが用いられており、バッテリ１２の充電状態を表示するようになっている。
【００４８】
この補助部品ユニット８は、照明器具、すなわち、器具本体１の外周縁部、具体的には、本体枠９の外周縁部に配設される。したがって、導光板７の発光領域の外側に配設されるようになっている。このように構成された補助部品ユニット８は、複数の電気的補助部品が集中化して設けられていて、本体枠９に取付けられるようになっている。
【００４９】
本体枠９は、ＡＢＳ樹脂やポリカーボネート等の合成樹脂から作られていて、略正方形状であって前記導光板７の寸法より大きな枠状に形成されており、図８に示すように、側壁９１と、この側壁９１の下端部から内側に向かって斜め下方に延出し、さらに内側に向かって斜めに立ち上がる傾斜状部を有する底壁９２とを備えている。また、底壁９２には、複数のボス９３が立設されており、このボス９３には、サポートシャーシ３の取付片３２がねじ止めされるようになっている。
【００５０】
補助光源点灯ユニット１０は、略直方体形状をなしていて、補助光源部６Ｂの保安灯としての発光素子６１Ｂを点灯制御するようになっている。図１０に代表して示すように、補助光源点灯ユニット１０は、ユニットケース１１と、バッテリ１２と、制御回路部１３と、ケースカバー１４とを備えている。
【００５１】
ユニットケース１１は、例えば、金属製のベースケース１１ａと、このベースケース１１ａに上側から嵌め込まれる本体ケース１１ｂとから構成されている。本体ケース１１ｂは、耐熱性を有する合成樹脂材料から作られていて、バッテリ１２を収容する部分と制御回路部１３を収容する部分とを区画するように段状に形成されている。また、ベースケース１１ａの前方側には、係合突起１１ｃが形成されている。
【００５２】
バッテリ１２は、合成樹脂製のケース内に充電可能な二次電池として３個のニッケル水素電池を用いて構成されている。このバッテリ１２は、前記ユニットケース１１に着脱可能に収容されるようになっている。
【００５３】
制御回路部１３は、バッテリ１２を充電する充電回路や電源遮断検出回路等を備えていて、本体ケース１１ｂ内に回路基板と、この回路基板に実装された回路部品とから構成されている。この制御回路部１３は、ユニットケース１１にバッテリ１２と区画されて収容されている。
【００５４】
そして、これらバッテリ１２及び制御回路部１３が収容されたユニットケース１１は、点灯装置２のケース部材２１に取付けられるようになっている。具体的には、ケース部材２１の一側の中央部には、ユニットケース１１の一側と略対応する開口２１ｃが形成されており、この開口２１ｃにユニットケース１１の一側が挿入され、その後、取付ねじが上方からケース部材２１を貫通してユニットケース１１の上面側にねじ込まれる。
【００５５】
ケースカバー１４は、不燃性の材料、例えば金属製の材料で作られていて、ユニットケース１１の上面及び側面を覆うように略箱状に形成されている。さらに、ケースカバー１４の一側面には、前記ベースケース１１ａの係合突起１１ｃが嵌合する係合スリット１４ａが形成され、他側の上面には挿入突起１４ｂが形成されている。
【００５６】
なお、ケースカバー１４の一側の上面には、直方体形状のパッキンＰが取付けられている。さらに、図３、図４及び図６（図２においてはパッキンＰは省略している）に示すように、サポートシャーシ３の背面側における外周近傍には、直方体形状のパッキンＰが複数個取付けられている。このパッキンＰは、照明器具の天井面Ｃへの取付状態において、天井面Ｃと器具本体１との密着保持性を高める機能を有しており、ケースカバー１４にパッキンＰを配置することにより照明器具の天井面Ｃへの取付状態において、バランスよく安定して取付状態を維持できるようになる。加えて、ケースカバー１４のがたつきを抑制することが可能となる。
【００５７】
主として図１０に示すように、ケースカバー１４は、ユニットケース１１を覆うようにユニットケース１１に取付けられる。まず、ケースカバー１４の挿入突起１４ｂをケース部材２１における開口２１ｃの上端部に挿入するとともに、係合スリット１４ａにベースケース１１ａの係合突起１１ｃを嵌合する。次いで、側方から取付ねじＳをケースカバー１４を貫通させてベースケース１１ａにねじ込んで取付ける。
【００５８】
このように不燃性のケースカバー１４によってユニットケース１１を覆うことにより、例えば、故障等の発生によりバッテリ１２が過熱状態となって周りの樹脂部品が発火に至るのを防止することができる。
【００５９】
前記アダプタガイド５には、カバー部材Ｃｖが取付けられている。カバー部材Ｃｖは、図６及び図１２の参照を加えて示すように、アクリル樹脂やポリカーボネート等の透光性を有する合成樹脂材料から略正方形状で前面側が凸となるように形成されている。また、前面側の表面には、拡散性の機能を果たす多数の凹凸が形成されている。このカバー部材Ｃｖは、前記係合口５１に対向して係合口５１を開閉可能に覆うようになっており、さらに、取外し可能になっている。
【００６０】
続いて、アダプタＡは、図２及び図１２に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置２へ接続する図示しない電源コードが導出されていて、点灯装置２とコネクタを介して接続されるようになっている。
【００６１】
赤外線リモコン送信器Ｒは、例えば、周波数３８ｋＨｚのパルス状の特定のコード化された赤外線リモコン制御信号を送信するもので、例えば、全光点灯ボタン、調光点灯ボタン、常夜灯ボタンや消灯ボタン等が設けられている。このリモコン送信器Ｒを補助部品ユニット８、すなわち、第１の赤外線リモコン信号受信部８１及び第２の赤外線リモコン信号受信部８２に向けて操作することによって光源部６における主光源部６Ａの発光素子６１Ａ及び補助光源部６Ｂの発光素子６１Ｂの発光状態、つまり、全光点灯、調光点灯、消灯等の制御を行うことができる。
次に、図１１を参照して本実施形態の動作の概要を説明する。図１１は、ブロック構成の概要を示している。
【００６２】
外部電源である商用交流電源ＡＣには、充電回路１５、電源遮断検出回路１６及びバッテリ１２等が接続されている。また、バッテリ１２には、補助光源部６Ｂ、すなわち、保安灯としての発光素子６１Ｂが接続されている。
【００６３】
通常時の商用交流電源ＡＣから給電されている場合においては、点灯装置２に給電され、この点灯装置２から直流出力が主光源部６Ａに供給され発光素子６１Ａが点灯する。一方、商用交流電源ＡＣから充電回路１５を通じて所定の直流電力がバッテリ１２に充電される。さらに、第１の赤外線リモコン信号受信部８１に給電され、受信部８１が受信可能状態となる。この場合、第２の赤外線リモコン信号受信部８２には給電されておらず、受信部８２は受信可能な状態にはない。
【００６４】
したがって、リモコン送信器Ｒを操作することにより、その操作信号が受信部８１からリモコン制御回路１８に送られ、制御手段１７、点灯装置２を介して主光源部６Ａにおける発光素子６１Ａの発光状態を制御することができる。
【００６５】
地震等の発生によって商用交流電源ＡＣからの給電が停止された場合においては、電源遮断検出回路１６は、停電が発生したと判断して、電源遮断検出信号を制御手段１７に送信する。この判断は、商用交流電源ＡＣの電圧が所定時間所定電圧以下であることを検出して行われる。
【００６６】
制御手段１７は、電源遮断検出信号を受信すると、電源を商用交流電源ＡＣからバッテリ１２に切換える制御を実行する。したがって、バッテリ１２から補助光源部６Ｂの保安灯としての発光素子６１Ｂに給電される状態となり、さらに、バッテリ１２から第２の赤外線リモコン信号受信部８２に給電され、受信部８２が受信可能状態となる。
したがって、リモコン送信器Ｒを操作することにより発光素子６１Ｂの発光状態を制御することが可能となる。
以上のように商用交流電源ＡＣから給電が停止された場合に、バッテリ１２から給電して補助光源部６Ｂによって照明を確保することができる。
【００６７】
このように構成された照明器具において、図６乃至図８に代表して示すように、放熱部材として機能するサポートシャーシ３は、導光板７の背面側に配置され、本体枠９の複数のボス９３にねじ止めされて取付けられている。この状態では、サポートシャーシ３の取付片３２は、光源部６における取付板６３の上面に面接触して熱的に結合されるようになっている。したがって、取付片３２は、光源部６とサポートシャーシ３との熱的結合部となっている。
【００６８】
また、点灯装置２の一端側、すなわち、ケース部材２１における接続部２１ａがサポートシャーシ３の熱的結合部である取付片３２に接続されている。具体的には、図６に示すように、ケース部材２１の接続部２１ａがサポートシャーシ３の取付片３２に重合するように面接触して配置されて、接続部２１ａ及び取付片３２を貫通して取付板６３の上面壁にねじ込まれる取付ねじによって接続され、熱的に結合されるようになっている。さらに、ケース部材２１の取付舌片２１ｂがセンターシャーシ４の上面に固定されている。
このような点灯装置２の取付け状態では、回路基板２２は、ケース部材２１における接続部２１ａと離間して配置されるようになる。
【００６９】
さらに、ケース部材２１は、センターシャーシ４の開口４２近傍からサポートシャーシ３の外周部にわたって連続して架設するように設けられているので、センターシャーシ４とサポートシャーシ３とから構成されるシャーシ本体の強度の向上を図ることが可能となる。
【００７０】
続いて、図３、図４及び図１０に示すように、バッテリ１２を含む補助光源点灯ユニット１０は、サポートシャーシ３の背面側に配設されている。具体的には、点灯装置２のケース部材２１における一側の中央部に配設されている。したがって、バッテリ１２は、点灯装置２の近傍であって、光源部６から熱的に離間した位置に配設されるようになっている。つまり、バッテリ１２は、光源部６の裏面側に接触したり、接近したりすることなく光源部６からの熱的影響を軽減できるような位置に配設されている。
【００７１】
さらに、バッテリ１２は、点灯装置２の近傍に配設されるので、例えば、リード線等の配線長を短くすることが可能で、配線接続関係の簡素化を図ることが可能となる。
【００７２】
また、導光板７における開口７１の前面側の周縁部は、アダプタガイド５の下端側の鍔部５２に支持されている。図８に代表して示すように、導光板７の前面側の外周縁部は、本体枠９における底壁９２の傾斜状部に支持されている。一方、前記のように導光板７の背面側には、サポートシャーシ３が配設されており、導光板７は、サポートシャーシ３と、前記アダプタガイド５の鍔部５２及び本体枠９の底壁９２の傾斜状部とによって挟持されるように配置されている。この状態においては、導光板７の光入射端面７２は、発光素子６１と対向して位置し、発光素子６１から出射される光が入射するようになっている。
【００７３】
次に、上記のように構成された照明器具の天井面Ｃへの取付状態について、図１２を参照して説明する。なお、図においてアダプタＡから導出される電源コードの図示は省略している。
【００７４】
図１２に示すように、天井面Ｃに配線器具としての引掛けシーリングボディＣｂが設置されている。また、この引掛けシーリングボディＣｂには、アダプタＡが電気的かつ機械的に接続されている。この状態からカバー部材Ｃｖを開き又は取外して係合口５１を開放状態として図示矢印で示すように、器具本体１におけるアダプタガイド５の係合口５１をアダプタＡに合わせながら、アダプタＡの係止部Ａ1がアダプタガイド５の係合口５１に確実に係合するまで器具本体１を下方から手で押し上げて取付け操作を行い、カバー部材Ｃｖで係合口５１を覆い閉塞状態とする。
【００７５】
これにより、器具本体１の取付状態では、アダプタＡがセンターシャーシ４の開口４２を挿通し、アダプタＡの係止部Ａ1がアダプタガイド５の係合口５１に係止されて取付状態が保持される。
【００７６】
また、器具本体１を取外す場合には、カバー部材Ｃｖを開き又は取外し、アダプタＡに設けられているレバーを操作してアダプタＡの係止部Ａ1の係合を解くことにより取外すことができる。
【００７７】
照明器具の取付状態において、商用交流電源から点灯装置２に電力が供給されると、基板６２を介して主光源部６Ａの発光素子６１Ａに通電され、各発光素子６１Ａが点灯する。発光素子６１Ａから出射された光は、導光板７の光入射端面７２へ入射し、この入射した光は、導光板７内で全反射して導光板７全体に広がるとともに、背面側に形成された反射ドットからなるドットパターンによって拡散反射され、さらに前面側の拡散シートによって拡散されて均質化された光が前面側から放射される。また、導光板７から漏れた一部の光は、反射シートによって反射され前面側に放射されて再利用されるようになる。
カバー部材Ｃｖは、透光性を有しているので、導光板７から漏れた光を透過させることができ、暗さ感を抑制できる。
【００７８】
また、商用交流電源からの給電が停止された場合には、バッテリ１２から給電して補助光源部６Ｂの発光素子６１Ｂを点灯させることができ照明を確保することが可能となる。この場合、補助光源部６Ｂは、主光源部６Ａの形成領域に配設されており、また、主光源部６Ａ及び補助光源部６Ｂの光源は、ともに発光素子６１（６１Ａ、６１Ｂ）であって、補助光源部６Ｂの発光素子６１Ａは、複数個設けられているため、通常時の主光源部６Ａによる照明状態との違和感を軽減することが可能となる。
【００７９】
本来、通常時の主光源部６Ａによる照明状態と補助光源部６Ｂによる照明状態とは、同等であることが望ましい。しかしながら、バッテリ１２の給電能力を考慮すると補助光源部６Ｂによる照明状態は、主光源部６Ａによる照明状態に対し、出力を小さくせざるを得ない。
【００８０】
仮に、補助光源部６Ｂを補助部品ユニット８等に配設した場合には、主光源部６Ａと補助光源部６Ｂとは、明確に区別されて配設されることとなり、通常時の主光源部６Ａによる照明状態と非常時の補助光源部６Ｂの照明状態とは、顕著に異なったものとなり、違和感が大きく生じる可能性が高くなる。
本実施形態では、補助光源部６Ｂが主光源部６Ａの形成領域に配設されているので、このような照明状態の違和感を軽減することが可能となる。
【００８１】
しかも、図５に示すように、補助光源部６Ｂの発光素子６１Ｂから出射された光（破線の矢印で示す）は、主光源部６Ａの発光素子６１Ａから出射された光と同様に、導光板７の光入射端面７２へ入射し、この入射した光は、拡散されて前面側から放射される。したがって、通常時の主光源部６Ａによる照明状態と同じく、導光板７の前面側から光が照射されるようになる。また、複数の発光素子６１Ｂは、長手方向に分散して配置されているので、導光板７からの光の出射面積を所定範囲に広がったものとすることができる。
【００８２】
光源部６の各発光素子６１の発光中は、熱が発生する。この熱は、基板６２裏面側から取付板６３に伝導され、サポートシャーシ３に伝導され、サポートシャーシ３の広い面積で効果的に放熱される。したがって、発光素子６１の温度上昇を抑制することができる。
【００８３】
この場合、バッテリ１２は、光源部６から熱的に離間した位置に配設されているので、バッテリ１２の温度上昇を抑制することができ、所期の耐用年数を確保することが可能となり、信頼性を保つことができる。
【００８４】
また、バッテリ１２は、サポートシャーシ３の背面側に配設されているので、バッテリ１２を交換する場合には、器具本体１をアダプタＡから取外すことにより、バッテリ１２の交換操作を行うことができる。さらに、サポートシャーシ３の背面側には、点灯装置２及び補助光源点灯ユニット１０が平面的に配設されているので、照明器具の薄型化が可能となる。
【００８５】
以上のように本実施形態によれば、補助光源部６Ｂが主光源部６Ａの形成領域に配設されているので、補助光源部６Ｂによる照明状態の違和感を軽減することが可能な照明器具を提供することができる。
【００８６】
また、主光源部６Ａにおける発光素子６１Ａと補助光源部６Ｂにおける発光素子６１Ｂとは、同一の基板６２に実装されているので、構成の簡素化が可能となる。
【００８７】
なお、上記構成においては、主光源部６Ａにおける発光素子６１Ａと補助光源部６Ｂにおける発光素子６１Ｂとを各別に設ける場合について説明したが、主光源部６Ａにおける複数の発光素子の一部を補助光源部６Ｂにおける発光素子として兼用するようにしてもよい。
【００８８】
したがって、通常時は、外部電源から給電されて主光源部６Ａにおける複数の発光素子が点灯し、外部電源からの給電が停止された場合には、これら複数の発光素子の一部にバッテリ１２から給電され、保安灯として一部の発光素子が点灯するように動作する。このため、格別に補助光源部６Ｂの発光素子を増加する必要がなくなる利点を有する。
【００８９】
次に、本発明の第２の実施形態について図１３及び図１４を参照して説明する。図１３及び図１４は、照明器具を下方から見た平面を示しており、また、説明上、光源部６を取り出して平面的に示している。なお、第１の実施形態と同一又は相当部分には、同一符号を付し重複した説明を省略する。
本実施形態は、第１の実施形態とは、補助光源部６Ｂの配設態様が異なる形態を示している。
【００９０】
（実施例１）図１３に示すように、本実施例においては、主光源部６Ａ及び補助光源部６Ｂは、同一基板６２に形成され、主光源部６Ａの発光素子６１Ａは、直線状に多数実装され、基板６２における長手方向の両端部に位置する複数、具体的には、各３個の発光素子６１Ｂが補助光源として用いられ、補助光源部６Ｂを構成するようになっている。
【００９１】
したがって、補助光源部６Ｂの発光素子６１Ｂから出射された光（破線の矢印で示す）は、導光板７の光入射端面７２へ入射し、この入射した光は、拡散されて前面側から放射されるため、通常時の主光源部６Ａによる照明状態と同じく、導光板７の前面側から光が照射されるようになる。
【００９２】
以上のように本実施例によれば、第１の実施形態と同様に、補助光源部６Ｂが主光源部６Ａの形成領域に配設されているので、補助光源部６Ｂによる照明状態の違和感を軽減することができる。また、主光源部６Ａにおける発光素子６１Ａと補助光源部６Ｂにおける発光素子６１Ｂとは、同一の基板６２に実装されているので、構成の簡素化が可能となる。
【００９３】
（実施例２）図１４に示すように、本実施例においては、主光源部６Ａ及び補助光源部６Ｂは、同一基板６２に形成され、主光源部６Ａの発光素子６１Ａは、直線状に多数実装され、基板６２における長手方向の一端部側に位置する複数、具体的には、３個の発光素子６１Ｂが補助光源として用いられ、補助光源部６Ｂを構成するようになっている。
したがって、導光板７の対向する二つの辺に対応して配設された光源部６によって、補助光源部６Ｂは対角線上に位置されるようになる。
【００９４】
以上のように本実施例によれば、実施例１と同様な効果に加え、少ない補助光源部６Ｂの発光素子６１Ｂによって光の干渉を減少して効率的な照明が可能な効果が期待できる。
なお、本実施形態においても主光源部６Ａにおける複数の発光素子の一部を補助光源部６Ｂにおける発光素子として兼用するようにしてもよい。
【００９５】
次に、本発明の第３の実施形態について図１５乃至図１８を参照して説明する。図１５及び図１７は、照明器具を下方から見た平面を示しており、図１６及び図１８は、断面を示している。なお、第１の実施形態と同一又は相当部分には、同一符号を付し重複した説明を省略する。
本実施形態は、第１の実施形態とは、バッテリ１２の配設位置が異なる形態を示している。
【００９６】
（実施例１）図１５及び図１６に示すように、バッテリ１２をアダプタＡが係合する係合口５１の周囲、すなわち、アダプタガイド５の内側に着脱可能に収容するようにしたものである。
【００９７】
このような構成によれば、バッテリ１２の交換に際し、カバー部材Ｃｖを開き又は取外すことにより、器具本体１をアダプタＡから取外すことなく、交換操作を行うことができる。したがって、器具本体１の前面側からバッテリ１２の交換を容易に行うことが可能となる。
（実施例２）図１７及び図１８に示すように、バッテリ１２を補助部品ユニット８内に収容するようにしたものである。
【００９８】
このような構成によれば、バッテリ１２の交換に際し、補助部品ユニット８のケース蓋を取外すことにより、器具本体１をアダプタＡから取外すことなく、交換操作を行うことができる。したがって、実施例１と同様に、器具本体１の前面側からバッテリ１２の交換を容易に行うことが可能となる。
【００９９】
次に、本発明の第４の実施形態について図１９及び図２０を参照して説明する。図１９は、照明器具の断面を示し、図２０は、照明器具を下方から見た平面を示している。なお、第１の実施形態と同一又は相当部分には、同一符号を付し重複した説明を省略する。
【０１００】
第１の実施形態では、発光素子６１から出射される光を発光部である導光板７を用いて照明を行う形式のものについて説明したが、本実施形態では、導光板７を用いることなく、基板６２に実装された発光素子６１から前面側へ出射される光を、例えば、拡散性を有する乳白の透光性カバーＣＶを透過させて照明を行う形式のものである。
【０１０１】
本実施形態の照明器具は、外観形状が略円形状に構成されている（図２０参照）。器具本体１の背面側には、光源として複数の発光素子６１が実装された略リング状の基板６２が配設されている。この基板６２の表面側には、複数の発光素子６１が放射状に並べられて実装されており、また、電気的補助部品として例えば、第１の赤外線リモコン信号受信部８１及び第２の赤外線リモコン信号受信部８２が実装されている。
【０１０２】
ここで、基板６２に放射状に並べられて実装された発光素子６１は、主光源部６Ａを構成するが、そのうちの一部の発光素子６１Ｂは、補助光源部６Ｂを構成するようになっている。具体的には、主光源部６Ａ及び補助光源部６Ｂは、同一基板６２に形成され、補助光源部６Ｂは、内周側に形成され、内周側に実装された複数個、すなわち、８個の発光素子６１Ｂが助光源として用いられ、補助光源部６Ｂを構成するようになっている。
以上のように主光源部６Ａ及び補助光源部６Ｂが同一基板６２に形成され、補助光源部６Ｂは、主光源部６Ａの形成領域に配設された形態となっている。
【０１０３】
照明器具の取付状態において、商用交流電源から点灯装置２に電力が供給されると、基板６２を介して主光源部６Ａの発光素子６１Ａに通電され、各発光素子６１Ａが点灯する。発光素子６１Ａから出射される光は、透光性カバーＣＶを通じて外部に放射され、透光性カバーＣＶは、所定の発光領域を有する面状の発光部として機能する。
【０１０４】
また、商用交流電源からの給電が停止された場合には、バッテリ１２から給電して補助光源部６Ｂの発光素子６１Ｂを点灯させることができ所定の照明を確保することが可能となる。この場合、補助光源部６Ｂは、主光源部６Ａの形成領域に配設されており、また、主光源部６Ａ及び補助光源部６Ｂの光源は、ともに発光素子６１（６１Ａ、６１Ｂ）であって、補助光源部６Ｂの発光素子６１Ａは、複数個設けられているため、通常時の主光源部６Ａによる照明状態との違和感を軽減することが可能となる。
以上のように本実施形態によれば、第１の実施形態と同様な効果を奏することが可能となる。
【０１０５】
なお、上記構成においては、主光源部６Ａにおける発光素子６１Ａと補助光源部６Ｂにおける発光素子６１Ｂとを各別に設ける場合について説明したが、主光源部６Ａにおける複数の発光素子の一部を補助光源部６Ｂにおける発光素子として兼用するようにしてもよい。
【０１０６】
本発明は、上記各実施形態の構成に限定されることなく、発明の要旨を逸脱しない範囲で種々の変形が可能である。また、上記各実施形態は、一例として提示したものであり、発明の範囲を限定することは意図していないものである。
【符号の説明】
【０１０７】
１・・・器具本体、２・・・点灯装置、
３・・・サポートシャーシ、４・・・センターシャーシ、
６・・・光源部、６Ａ・・・主光源部、
６Ｂ・・・補助光源部、７・・・導光板、
８・・・補助部品ユニット、９・・・本体枠、
１０・・・補助光源点灯ユニット、１２・・・バッテリ、
４２・・・センターシャーシの開口、６１・・・発光素子、
６１Ａ・・・主光源部の発光素子、６１Ｂ・・・補助光源部の発光素子
６２・・・基板、７１・・・導光板の開口、
７２・・・光入射端面、Ｃ・・・器具取付面（天井面）、
Ｃｂ・・・配線器具（引掛けシーリングボディ）
【図１】
2013020766.tif 000003
【図２】
2013020766.tif 000004
【図３】
2013020766.tif 000005
【図４】
2013020766.tif 000006
【図５】
2013020766.tif 000007
【図６】
2013020766.tif 000008
【図７】
2013020766.tif 000009
【図８】
2013020766.tif 000010
【図９】
2013020766.tif 000011
【図１０】
2013020766.tif 000012
【図１１】
2013020766.tif 000013
【図１２】
2013020766.tif 000014
【図１３】
2013020766.tif 000015
【図１４】
2013020766.tif 000016
【図１５】
2013020766.tif 000017
【図１６】
2013020766.tif 000018
【図１７】
2013020766.tif 000019
【図１８】
2013020766.tif 000020
【図１９】
2013020766.tif 000021
【図２０】
2013020766.tif 000022